(57)【特許請求の範囲】
【請求項１】
容器本体の底部にカバーを取り付けた容器において、
前記容器本体の底面中央部に下方に突出する凸部を設けるとともに、前記カバーの中央部に前記凸部が挿入される貫通孔を設け、前記凸部を前記貫通孔に挿入した状態で、前記カバーの底面が、前記凸部の底面のうち少なくとも外周部と同一平面をなし、かつこの状態で、前記凸部の底面から前記カバーの底面にかけて、前記凸部より大径の円盤状をなす剥離可能なフィルムを貼付けたことを特徴とする容器。
【請求項２】
前記容器本体の側面から底面に向け、前記カバーの上端面を露出させる凹部を設けたことを特徴とする請求項１記載の容器。
【請求項３】
前記カバーの側面から上端面に向け、前記容器本体の底面を露出させる凹部を設けたことを特徴とする請求項１または２記載の容器。
【請求項４】
前記貫通孔が円孔とされ、かつその上端側内周面に、少なくとも１箇所の凸条を設けるとともに、前記凸部が円柱状をなし、かつその下端側外周面に、前記凸条の未設部分から前記貫通孔に挿入可能とされ、前記容器本体に対する前記カバーの回転により、前記凸条と上下に係合して前記カバーを抜け止めする係合条を設けたことを特徴とする請求項１記載の容器。
【発明の詳細な説明】
【０００１】
【発明の属する技術分野】
本発明は容器本体の底部にカバーを取り付けた容器に係り、特に、カバーが容器本体から取り外し可能とされた容器に関する。
【０００２】
【従来の技術】
従来より、容器の加飾や容器の破損防止等の目的で、内容物を収容する容器本体の底部にカバーを取り付けた容器が考案されている。特に、近年では、資源の再利用化に対応して、容器本体とカバーとを分離可能とした容器が開発されている。このような容器としては、例えば特開平６−７１４１０号、あるいは特開平７−４３１４２号に開示の容器がある。
【０００３】
このうち、前者の容器は、容器本体とカバーとを、周方向に沿って間欠的に設けたアンダーカット部にてアンダーカット嵌合させ、分離時には、容器本体に対しカバーを回転させ、アンダーカット嵌合しない部分にてカバーを引き抜くものである。また、後者の容器は、容器本体とカバーとをアンダーカット嵌合させ、分離時には、容器本体の側面に形成された凹部から容器本体とカバーとの間に治具を挿入し、この治具にて容器本体からカバーを外すものである。
【０００４】
【発明が解決しようとする課題】
ところで、上記従来の容器では、輸送、陳列、及び使用時におけるカバーの不用意な脱落を防止するため、アンダーカット嵌合の組み付け強度を高くする必要がある。しかしながら、組み付け強度が高いため、カバーを回転したり、治具により容器本体からカバーを外す際の抵抗が大きく、その結果、高齢者や女性にとってはカバーの分離が困難であったり、カバーを外す際に誤って容器本体を取り落としてしまう場合があった。また、後者の場合、治具を用いなければカバーを外すことができないという不便があった。
【０００５】
本発明は上記事情に鑑みてなされたもので、容器本体とカバーとを分離可能とした容器において、カバーが容器本体に確実に保持され、かつ容器本体とカバーとの分離が容易な容器の提供をその目的としている。
【０００６】
【課題を解決するための手段】
本発明は、容器本体の底部にカバーを取り付けた容器において、前記容器本体の底面中央部に下方に突出する凸部を設けるとともに、前記カバーの中央部に前記凸部が挿入される貫通孔を設け、前記凸部を前記貫通孔に挿入した状態で、前記カバーの底面が、前記凸部の底面のうち少なくとも外周部と同一平面をなし、かつこの状態で、前記凸部の底面から前記カバーの底面にかけて、前記凸部より大径の円盤状をなす剥離可能なフィルムを貼付けたことを特徴としている。
【０００７】
また、前記容器本体の側面から底面に向け、前記カバーの上端面を露出させる凹部を設けてもよく、あるいは、前記カバーの側面から上端面に向け、前記容器本体の底面を露出させる凹部を設けてもよい。
【０００８】
一方、前記貫通孔を円孔とし、かつその上端側内周面に、少なくとも１箇所の凸条を設けるとともに、前記凸部を円柱状とし、かつその下端側外周面に、前記凸条の未設部分から前記貫通孔に挿入可能とされ、前記容器本体に対する前記カバーの回転により、前記凸条と上下に係合して前記カバーを抜け止めする係合条を設けてもよい。
【０００９】
【発明の実施の形態】
以下、図面に基づき、本発明の実施の形態について説明する。
本発明に係る容器１の例を図１及び図２に示す。符号２は容器本体で、容器本体２は有底円筒状をなし、内部に内容物収容用の空間Ｓを有し、かつ空間Ｓは、容器本体２の上端部に螺合される蓋３により開閉自在とされている。更に、容器本体２の底面中央部からは、凸部２ａが、容器本体２と同軸をなすよう下方に突出している。また、容器本体２及び蓋３の材質には、ガラスや合成樹脂等が用いられる。
【００１０】
符号４はカバーである。カバー４は、容器本体２と略同径の円環状をなす合成樹脂製の部材で、その中央部には、凸部２ａと同径の貫通孔４ａが形成されている。そして、凸部２ａを貫通孔４ａに挿入することにより、容器本体２の底面が下方からカバー４で覆われる。また、カバー４の厚さは、凸部２ａを貫通孔４ａに挿入した際に、カバー４の底面が凸部２ａの底面のうち少なくとも外周部と同一面をなすよう設定されている。
【００１１】
符号５はフィルムである。フィルム５は、凸部２ａより大径の円盤状をなす樹脂製の部材で、その一方の面は、剥離可能な接着剤が塗布された接着面とされている。そして、凸部２ａを貫通孔４ａに挿入し、フィルム５を、前記一方の面をカバー４の底面側に向け、カバー４の中央部に貼り付けることにより、フィルム５が凸部２ａの底面からカバー４の底面にかけて貼り付けられ、容器本体２とカバー４との分離が、フィルム５の接着力により阻止される。
【００１２】
ここで、フィルム５の貼り付けは、凸部２ａを貫通孔４ａへの挿入後に行っても、予めフィルム５が貼り付けられたカバー４の貫通孔４ａに凸部２ａを挿入することにより行ってもよい。また、符号５ａは、フィルム５の外周端から突出し、フィルム５をカバー４の底面から剥離する際に用いられる舌片である。
【００１３】
更に、本実施形態の容器１では、容器本体２に、側面を底面に向け窪ませてなる凹部２ｂが形成され、その結果、凹部２ｂの形成部位にて、カバー４の上端面が露出している。
【００１４】
上記構成を有する容器１においては、容器本体２の底面が下方からカバー４で覆われているため、このカバー４を容器１の加飾や容器１の破損防止に利用することができる。また、容器本体２とカバー４との分離が、凸部２ａの底面からカバー４の底面にかけて貼り付けられたフィルム５の接着力により阻止されているため、容器１の輸送、陳列、及び使用時における、カバー４の不用意な脱落が防止される。
【００１５】
一方、容器１の廃棄時には、蓋３を外すとともに舌片５ａを下方に引っ張り、フィルム５をカバー４の底面から剥がした後、凹部２ｂに指を掛けてカバー４を下方に移動させる。その結果、貫通孔４ａから凸部２ａが抜け、カバー４が容器本体２から分離される。この場合、フィルム５の剥離が舌片５ａ側から順次行われるため、フィルム５の接着力が強力であっても、剥離には特に力を要さない。
【００１６】
従って、高齢者や女性でも、容器本体２とカバー４との分離を容易に行うことが可能で、かつカバー４を外す際に誤って容器本体２を取り落とす心配もない。また、カバー４を分離するための治具も不要である。すなわち、本発明によれば、カバー４が容器本体２に確実に保持され、かつ容器本体２とカバー４との分離が容易な容器１を得ることができる。フィルム５をカバー４の底面から剥離せず、凹部２ｂに指を掛けてカバー４を下方に移動させ、凸部２ａからのフィルム５の剥離と、容器本体２とカバー４との分離とを同時に行うことも可能である。
【００１７】
また、凸部２ａや貫通孔４ａ、更には容器本体２やカバー４の形状やサイズ等は幅広く選択可能で、かつフィルム５の接着力も、フィルム５の接着面積や接着剤の種類等により任意に設定可能である。更に、凸部２ａの貫通孔４ａへの挿入に際し、アンダーカット嵌合のための圧入設備が不要であるという効果もある。
【００１８】
図３は、本発明の他の実施形態を示すもので、凸部２ａの下端と貫通孔４ａの上端を若干拡径することにより、凸部２ａと貫通孔４ａとを軽くアンダーカット嵌合させたものである。この容器１では、凸部２ａの底面からカバー４の底面にかけて貼り付けられたフィルム５の作用に加え、凸部２ａと貫通孔４ａとのアンダーカット嵌合によってもカバー４が容器本体２に保持されるため、カバー４の保持力が向上し、かつ容器本体２とカバー４間におけるガタツキが防止される。
【００１９】
また、アンダーカット嵌合により、フィルム５を貼り付けなくてもカバー４が容器本体２に保持されるため、特に容器１の組立中におけるカバー４の脱落が防止され、容器１の組立時における作業性が向上する。一方、アンダーカット嵌合が軽度であるため、アンダーカット嵌合によりカバー４が外しにくくなることはない。
【００２０】
図４に示すように、凸部２ａの外周面からリブ２ｃを突出させてもよい。この場合、貫通孔４ａの内周面に、このリブ２ｃと対応する凹部（図示せず。）を設け、この凹部にリブ２ｃを合わせて凸部２ａを貫通孔４ａに挿入することにより、容器本体２の底面をカバー４で覆った際のカバー４の向きが常時一定となる。
【００２１】
容器本体２に形成された凹部２ｂに換え、図５に示すように、カバー４に、側面を上端面に向け窪ませてなる凹部４ｂを形成し、凹部４ｂの形成部位にて、容器本体２の底面を露出させてもよい。この場合、凹部４ｂに指を掛けてカバー４を下方に移動させることにより、貫通孔４ａから凸部２ａが抜け、カバー４が容器本体２から分離される。カバー４の底部外周面に径方向外方に突出する凸部を設け、この凸部に指を掛けてカバー４を下方に引張ってもよい。
【００２２】
図６に示すように、貫通孔４ａを円孔とし、かつその上端側内周面に、少なくとも１箇所の凸条４ｃを設けるとともに、凸部２ａを円柱状とし、かつその下端側外周面に、少なくとも１箇所の係合条２ｄを設けてもよい。ここで、係合条２ｄは、凸条４ｃの未設部分から貫通孔４ａに挿入可能とされ、更に、係合条２ｄと凸条４ｃが上下に係合するまで容器本体２に対しカバー４を回転させることにより、カバー４が抜け止めされる。
【００２３】
この容器１では、凸部２ａの底面からカバー４の底面にかけて貼り付けられたフィルム５の作用に加え、凸条４ｃと係合条２ｄとの係合によってもカバー４が容器本体２に保持されるため、カバー４の保持力が向上する。また、容器本体２に対するカバー４の回転がフィルム５の存在により防止されているため、フィルム５を剥がさない限り、容器本体２に対するカバー４の回転により凸条４ｃと係合条２ｄとの係合が解除されることはない。
【００２４】
また、図７に示すように、凸条４ｃの下面及び係合条２ｄの上面を傾斜面とし、容器本体２に対するカバー４の回転により、凸条４ｃと係合条２ｄとを螺合させてもよい。凸部２ａの上端側外周面に、係合条２ｄに換え、凸条４ｃと係合する凹溝（図示せず）を設けることも可能である。更に、図７に符号２ｅで示すように、容器容器１の組立時における作業性を向上させる目的で、係合条２ｄまたは前記凹溝の表面に乗り越え可能なリブを突設してもよい。この場合、係合条２ｄまたは前記凹溝と係合した凸条４ｃの戻りが、リブ２ｅにて（人為的に解除可能な程度に）防止される。
【００２５】
図８に符号４ｄで示すように、カバー４の下端縁を貫通孔４ａの径方向内方に延設し、容器本体２の底面をカバー４で覆った際に、凸部２ａと貫通孔４ａとの係合部（図８中矢印Ａで示す部分）がこの延設部４ｄで覆われる構成としてもよい。この場合、図９で示すように凸部２ａと貫通孔４ａとの係合部が延設部４ｄで下方から覆われるため見栄えがよく、その結果、この係合部が隠れるよう容器１の底面を全域に渡りフィルム５で覆う必要はない。従って、凸部２ａの底面及びカバー４の底面にかけて貼り付けられていれば、図９に示すような小型のフィルム５も使用可能である。
【００２６】
なお、上記の各実施形態では、容器１の外部形状が円筒状をなしているが、容器１の外部形状が非円筒状であってもよいことは言うまでもない。また、容器本体２に対するカバー４の向きが予め決められている場合には、図４、図６、あるいは図７に示すように、凸部２ａと貫通孔４ａとの係合部の構造を、容器本体２の底面をカバー４で覆った際に、容器本体２に対してカバー４が特定の向きとなるような構造とすることが望ましい。
【００２７】
【発明の効果】
以上説明した通り、本発明によれば、容器本体の底部にカバーを取り付けた容器において、容器本体の底面中央部に下方に突出する凸部を設けるとともに、カバーの中央部に前記凸部が挿入される貫通孔を設け、凸部を貫通孔に挿入した状態で、凸部の底面からカバーの底面にかけて、剥離可能なフィルムを貼付けたため、容器本体からのカバーの分離がフィルムの接着力により阻止され、容器の輸送、陳列、及び使用時における、カバーの不用意な脱落が防止される。
【００２８】
また、フィルムをカバーの底面から剥がした後、カバーを下方に移動させるだけで、貫通孔から凸部が抜け、カバーが容器本体から分離されるため、高齢者や女性でも、容器本体とカバーとの分離を容易に実施可能である。すなわち、本発明によれば、カバーが容器本体に確実に保持され、かつ容器本体とカバーの分離が容易な容器が得られる。
【図面の簡単な説明】
【図１】  本発明の容器の構造の例を示す、容器の底面側から見た斜視図である。
【図２】  本発明の容器の構造の例を示す容器の断面図である。
【図３】  本発明の容器の構造の例を示す容器の断面図である。
【図４】  本発明の容器の構造の例を示す、容器本体の底面側から見た斜視図である。
【図５】  本発明の容器の構造の例を示す、容器の下部を底面側から見た斜視図である。
【図６】  本発明の容器の構造の例を示す、分解状態の容器の下部を底面側から見た斜視図である。
【図７】  本発明の容器の構造の例を示す、分解状態の容器の下部を底面側から見た斜視図である。
【図８】  本発明の容器の構造の例を示す容器の半裁断面図である。
【図９】  本発明の容器の構造の例を示す、図８中矢印ＩＸに沿った容器の下面図である。
【符号の説明】
１  容器
２  容器本体
２ａ  凸部
２ｂ  凹部
２ｄ  係合条
４  カバー
４ａ  貫通孔
４ｃ  凸条
【図１】
0003953608.tif 000002
【図２】
0003953608.tif 000003
【図３】
0003953608.tif 000004
【図４】
0003953608.tif 000005
【図５】
0003953608.tif 000006
【図６】
0003953608.tif 000007
【図７】
0003953608.tif 000008
【図８】
0003953608.tif 000009
【図９】
0003953608.tif 000010